(57)【要約】【課題】コンクリート打設現場に居る者が打重ね時間の残り時間を確実かつ容易に把握することができるコンクリート打重ね時間管理用報知装置およびコンクリートの打ち重ね時間管理方法を提供する。【解決手段】少なくともコンクリートの打設現場に居る者に、コンクリートの打重ね時間の管理に関する情報を報知する装置１０であって、コンクリートの打設現場に居る者に視認可能な場所に設けられ、予め定めた打重ね時間の残り時間を表示する時間表示手段１２と、打重ね時間の残り時間に対応した報知情報を表示する報知情報表示手段１４とを備えるようにする。【選択図】図１
2014219288.tif 000002
【特許請求の範囲】
【請求項１】
少なくともコンクリートの打設現場に居る者に、前記コンクリートの打重ね時間の管理に関する情報を報知する装置であって、
前記コンクリートの打設現場に居る者に視認可能な場所に設けられ、予め定めた前記打重ね時間の残り時間を表示する時間表示手段と、前記打重ね時間の残り時間に対応した報知情報を表示する報知情報表示手段とを備えることを特徴とするコンクリート打重ね時間管理用報知装置。
【請求項２】
前記時間表示手段は、予め定めた前記打重ね時間からカウントダウン方式で残りの打重ね時間をデジタル表示するものであることを特徴とする請求項１に記載のコンクリート打重ね時間管理用報知装置。
【請求項３】
前記報知情報表示手段は、前記時間表示手段に近接して放光部を有して設けられ、前記放光部から互いに異なる色を放光可能であり、前記報知情報に対応して予め定めた色の光を、前記放光部から前記打重ね時間の残り時間に対応して放光することを特徴とする請求項１または２に記載のコンクリート打重ね時間管理用報知装置。
【請求項４】
光の放射方向を所定の軸線まわりに回動させることができる前記放光部を複数段積層した回転灯からなることを特徴とする請求項３に記載のコンクリート打重ね時間管理用報知装置。
【請求項５】
前記時間表示手段および前記報知情報表示手段を作動させる作動開始手段をさらに備えることを特徴とする請求項１〜４のいずれか一つに記載のコンクリート打重ね時間管理用報知装置。
【請求項６】
請求項１〜５のいずれか一つに記載のコンクリート打重ね時間管理用報知装置を使用したコンクリートの打ち重ね時間管理方法。
【発明の詳細な説明】
【技術分野】
【０００１】
本発明は、例えば浄水場や地下鉄の駅等の大規模地下躯体などのコンクリートの打設工事において、コールドジョイントの発生を防止するために、打重ね時間を管理するのに好適なコンクリート打重ね時間管理用報知装置およびこの装置を使用したコンクリートの打ち重ね時間管理方法に関するものである。
【背景技術】
【０００２】
従来、浄水場や地下鉄の駅等の大規模地下躯体などのコンクリート構造物を施工する際において、例えば同日におけるコンクリート打設では複数層に分けてコンクリートを打重ねていき構造物を構築する（例えば、特許文献１を参照）。凝結が進んでいる状態にあるコンクリートに新たなコンクリートを打重ねる場合、適正な時間間隔を過ぎてコンクリートを打設すると、硬化し始めたコンクリートと後から打重ねたコンクリートとが一体化せず、不連続な面が生じるコールドジョイントが発生する場合がある。
【０００３】
コールドジョイントは構造的な脆弱部となるので、発生を防止するためには、各層毎の打重ね時間間隔を、コールドジョイントが発生しない程度の時間間隔に収めるようにして打設する必要がある。コンクリートを打重ねるまでの適正な打重ね時間間隔は、例えば気温２５℃以下の施工条件下では２時間、気温２５℃超過の施工条件下では２時間３０分として計画されることが多い（例えば、非特許文献１を参照）。したがって、こうした時間間隔を超えて打重ねした場合にはコールドジョイントが発生してしまう可能性が高くなる。
【０００４】
一方、複数回のコンクリートの打継ぎにより施工されるコンクリート構造物の施工管理技術に関して、例えば特許文献２の技術が知られている。この特許文献２は、複数回のコンクリートの打継ぎにより施工されるコンクリート構造物の部位に問題が生じた場合の問題の原因究明するために、その問題が生じた部位の施工情報、その部位に使用したコンクリートの製造情報や品質確認のための試験結果情報などの履歴情報（トレーサビリティ）を容易に把握するようにしたものである。
【先行技術文献】
【特許文献】
【０００５】
【特許文献１】特許第４８７３４１２号公報
【特許文献２】特開２０１０−２０３１１０号公報
【非特許文献】
【０００６】
【非特許文献１】「コンクリート標準示方書  施工編＜２００７年制定＞」、土木学会コンクリート委員会コンクリート標準示方書改訂小委員会編、社団法人土木学会発行、２００８年４月
【発明の概要】
【発明が解決しようとする課題】
【０００７】
上述したように、コールドジョイントの発生を防止するためには、各層毎の打重ね時間間隔を、コールドジョイントが発生しない程度の時間間隔に収めるように打設する必要がある。
【０００８】
これに対し、従来のコンクリート打設施工では通常、一人の現場監督者が打重ね時間間隔を手元の腕時計等で確認しながら、一般に広い施工敷地内に点在する大勢の作業者に残り時間や作業内容を報知しつつ作業を指揮する。一方、各作業者はこの現場監督者の残り時間の報知や指示に従いながら打設作業を行うが、施工中の騒音や作業集中のため作業者の全員が打重ね時間の残り時間を確実かつ容易に把握することは困難であった。また、打重ね時間間隔を管理するものが現場監督者一人であると、打設完了時刻の記録を失念したり記録を誤ったりした場合に施工不良を招き易い。このため、従来の施工管理では打重ね時間の管理が曖昧になり易いという問題があった。
【０００９】
また、上記の施工環境下では、工事発注者等の施工管理者側が立会い時などに現場監督者によらずに打重ね時間間隔を直接把握することが難しいという問題があった。
【００１０】
本発明は、上記に鑑みてなされたものであって、コンクリート打設現場に居る者が打重ね時間の残り時間を確実かつ容易に把握することができるコンクリート打重ね時間管理用報知装置およびコンクリートの打ち重ね時間管理方法を提供することを目的とする。
【課題を解決するための手段】
【００１１】
上記した課題を解決し、目的を達成するために、本発明に係るコンクリート打重ね時間管理用報知装置は、少なくともコンクリートの打設現場に居る者に、前記コンクリートの打重ね時間の管理に関する情報を報知する装置であって、前記コンクリートの打設現場に居る者に視認可能な場所に設けられ、予め定めた前記打重ね時間の残り時間を表示する時間表示手段と、前記打重ね時間の残り時間に対応した報知情報を表示する報知情報表示手段とを備えることを特徴とする。
【００１２】
また、本発明に係る他のコンクリート打重ね時間管理用報知装置は、上述した発明において、前記時間表示手段は、予め定めた前記打重ね時間からカウントダウン方式で残りの打重ね時間をデジタル表示するものであることを特徴とする。
【００１３】
また、本発明に係る他のコンクリート打重ね時間管理用報知装置は、上述した発明において、前記報知情報表示手段は、前記時間表示手段に近接して放光部を有して設けられ、前記放光部から互いに異なる色を放光可能であり、前記報知情報に対応して予め定めた色の光を、前記放光部から前記打重ね時間の残り時間に対応して放光することを特徴とする。
【００１４】
また、本発明に係る他のコンクリート打重ね時間管理用報知装置は、上述した発明において、光の放射方向を所定の軸線まわりに回動させることができる前記放光部を複数段積層した回転灯からなることを特徴とする。
【００１５】
また、本発明に係る他のコンクリート打重ね時間管理用報知装置は、上述した発明において、前記時間表示手段および前記報知情報表示手段を作動させる作動開始手段をさらに備えることを特徴とする。
【００１６】
また、本発明に係るコンクリートの打ち重ね時間管理方法は、上述したコンクリート打重ね時間管理用報知装置を使用したコンクリートの打ち重ね時間管理方法である。
【発明の効果】
【００１７】
本発明に係るコンクリート打重ね時間管理用報知装置によれば、少なくともコンクリートの打設現場に居る者に、前記コンクリートの打重ね時間の管理に関する情報を報知する装置であって、前記コンクリートの打設現場に居る者に視認可能な場所に設けられ、予め定めた前記打重ね時間の残り時間を表示する時間表示手段と、前記打重ね時間の残り時間に対応した報知情報を表示する報知情報表示手段とを備えるので、例えば現場監督者や作業者だけでなく工事発注者等の施工管理者など、少なくともコンクリート打設現場に居る者が時間表示手段および報知情報表示手段を目視することにより、打重ね時間の残り時間を確実かつ容易に把握することができるという効果を奏する。また、コンクリート打設現場に居る者は打重ね時間の残り時間を容易に共有することができる。
【００１８】
また、本発明に係る他のコンクリート打重ね時間管理用報知装置によれば、前記時間表示手段は、予め定めた前記打重ね時間からカウントダウン方式で残りの打重ね時間をデジタル表示するものであるので、打重ね時間の残り時間が視覚的により認識し易くなり、コンクリート打設現場に居る者は打重ね時間の残り時間をより確実かつ容易に把握することができるという効果を奏する。
【００１９】
また、本発明に係る他のコンクリート打重ね時間管理用報知装置によれば、前記報知情報表示手段は、前記時間表示手段に近接して放光部を有して設けられ、前記放光部から互いに異なる色を放光可能であり、前記報知情報に対応して予め定めた色の光を、前記放光部から前記打重ね時間の残り時間に対応して放光するので、コンクリート打設現場に居る者は前記打重ね時間の残り時間を視覚的かつ直感的により認識し易いものとなる。このため、コンクリート打設現場に居る者は時間表示手段を目視すれば打重ね時間の残り時間を把握することができると同時に、近接して設けた放光部の異なる発色が直ぐに目に入るので、打重ね時間の残り時間をより直感的に把握することができるという効果を奏する。
【００２０】
また、本発明に係る他のコンクリート打重ね時間管理用報知装置によれば、光の放射方向を所定の軸線まわりに回動させることができる前記放光部を複数段積層した回転灯からなるので、打重ね時間の残り時間が視覚的かつ直感的により一層認識し易くなる。このため、コンクリート打設現場に居る者は時間表示手段を目視すれば打重ね時間の残り時間を把握することができると同時に、近接して設けた回転灯の光が直ぐに目に入るので、打重ね時間の残り時間をより一層直感的に把握することができるという効果を奏する。
【００２１】
また、本発明に係る他のコンクリート打重ね時間管理用報知装置によれば、前記時間表示手段および前記報知情報表示手段を作動させる作動開始手段をさらに備えるので、例えばコンクリートの１層打設完了時に作動開始手段に入力すれば、時間表示手段および報知情報表示手段は作動を開始して少なくともコンクリート打設現場に居る者に報知する。したがって、打重ね時間の管理が曖昧になるのを防ぐことができる。このため、現場監督者が打設完了時刻の記録を失念したり記録を誤ることによる施工不良の心配がなくなるという効果を奏する。
【００２２】
また、本発明に係るコンクリートの打ち重ね時間管理方法によれば、上述したコンクリート打重ね時間管理用報知装置を使用したコンクリートの打ち重ね時間管理方法であるので、打重ね時間の管理が曖昧になるのを防ぐことができるという効果を奏する。
【図面の簡単な説明】
【００２３】
【図１】図１は、本発明に係るコンクリート打重ね時間管理用報知装置の実施例を示す概略斜視図である。
【図２】図２は、本発明に係るコンクリート打重ね時間管理用報知装置の実施例を示す概略ブロック図である。
【図３】図３は、本発明に係るコンクリート打重ね時間管理用報知装置の配置例を示す概略図である。
【図４】図４は、本発明に係るコンクリート打重ね時間管理用報知装置による表示例を示す概略図である。
【図５】図５は、本発明に係るコンクリート打重ね時間管理用報知装置による表示例を示す概略図である。
【図６】図６は、本発明に係るコンクリート打重ね時間管理用報知装置による表示例を示す概略図である。
【発明を実施するための形態】
【００２４】
以下に、本発明に係るコンクリート打重ね時間管理用報知装置およびコンクリートの打ち重ね時間管理方法の実施の形態を図面に基づいて詳細に説明する。なお、この実施例によりこの発明が限定されるものではない。
【００２５】
図１に示すように、本発明に係るコンクリート打重ね時間管理用報知装置１０は、コンクリートの打重ね時間の管理に関する情報を報知する装置であって、予め定めた打重ね時間の残り時間を表示する時間表示手段１２と、この打重ね時間の残り時間に対応した報知情報を表示する報知情報表示手段１４とを備える。このコンクリート打重ね時間管理用報知装置１０は、時間表示手段１２および報知情報表示手段１４を作動させる押しボタンからなる作動開始手段１６をさらに備える。
【００２６】
時間表示手段１２は、７セグメントのＬＥＤ表示器からなる横長の平板状物であり、予め定めた打重ね時間からカウントダウン方式で残りの打重ね時間を数字でデジタル表示するものである。こうすることで、打重ね時間の残り時間が視覚的により認識し易くなる。
【００２７】
図１の例では、ＬＥＤ表示器に「０２：３０」と表示されており、残りの打重ね時間が２時間３０分であることを示している。このため、コンクリート打設現場に居る者が時間表示手段１２を目視すれば、打重ね時間の残り時間を確実かつ容易に把握することができる。したがって、ＬＥＤ表示器にデジタル表示される数字の態様としては、コンクリート打設現場に居る者（例えば数十ｍ離れた位置にいる作業者）から容易に判読可能な程度の大きさ、色、明るさであることが好ましい。
【００２８】
また、図１等では便宜上、ＬＥＤ表示器の背景色を白色、ＬＥＤ点灯部分を黒色とした場合を示しているが、これに限るものではなく、視認性をより高めるために例えば背景色を黒色に、ＬＥＤ点灯部分を赤色やオレンジ色や黄色などの暖色系の色にしてもよく、さらにこれ以外の色の組み合わせを用いてもよい。また、視認性、利便性を高めるため、夜間や昼間など施工時間帯にあった色の組み合わせを採用してもよい。
【００２９】
報知情報表示手段１４は、時間表示手段１２の右横に近接して設けられ、視認性を高めるため、時間表示手段１２の高さよりも高い縦長の直方体状に形成してある。この報知情報表示手段１４は、光の放射方向を上下方向の軸線まわりに回動させることができる光源を有する放光部２４ａ〜２４ｃを下から順に３段積層した回転灯１４ａからなり、基部２６上に設けられる。各放光部２４ａ〜２４ｃの側方は透明ガラス２８ａ〜２８ｃでそれぞれ覆われている。
【００３０】
回転灯１４ａは、各放光部２４ａ〜２４ｃから互いに異なる色を外方に向けて全方位に放光可能であり、所定の報知情報に対応して予め定めた色の光を、この色を方光可能な放光部から打重ね時間の残り時間に対応して放光するものである。図１の例では、回転灯１４ａは、各放光部２４ａ、２４ｂ、２４ｃからそれぞれ青色、黄色、赤色の３色を放光可能な３色式の回転灯として構成している。
【００３１】
ここで、各色と報知情報の対応関係としては、例えば青色の場合には打重ね時間の残り時間が多いという報知情報を、黄色の場合には打重ね時間の残り時間が中程度あるという報知情報を、赤色の場合には打重ね時間の残り時間が少ないという報知情報を示すようにすることが考えられる。
【００３２】
回転灯１４ａは、打重ね時間の残り時間が少なくなるに従い、青色、黄色、赤色の順に放光部からの方光の色を段階的に切り替え、残りの打重ね時間を視覚化することから、回転灯１４ａの周りに居る者がこれを目視すれば、打重ね時間の残り時間が視覚的かつ直感的により一層認識し易くなる。例えば、予め定めた打重ね時間が２時間３０分の場合には、残り時間が２時間３０分から１時間までを青色、残り時間が１時間から３０分までを黄色、残り時間が３０分から０分までを赤色にて各放光部より放光するよう設定してもよいし、もちろん、それぞれをこれ以外の時間幅に設定しても構わない。
【００３３】
作動開始手段１６は、時間表示手段１２および報知情報表示手段１４を作動させる押しボタンにより構成され、時間表示手段１２の筐体の上部に出没自在に設けてある。例えばコンクリートの１層打設完了時にこの押しボタンを押下すれば、時間表示手段１２および報知情報表示手段１４は作動を開始し、時間表示手段１２のＬＥＤ表示器には予め定めた打重ね時間の残り時間が表示され、報知情報表示手段１４の回転灯１４ａからは残り時間に対応した色の放光部から光が放光される。なお、時間の経過とともに時間表示手段１２に表示される残り時間は減少していき、この残り時間の減少に応じて報知情報表示手段１４の回転灯１４から放光される色が例えば青色、黄色、赤色と段階的に変化していくことになる。
【００３４】
次に、本発明のコンクリート打重ね時間管理用報知装置１０のブロック構成について説明する。
【００３５】
図２は、本発明のコンクリート打重ね時間管理用報知装置１０の概略ブロック図を示したものである。この図２に示すように、コンクリート打重ね時間管理用報知装置１０は、上述した時間表示手段１２と、報知情報表示手段１４と、作動開始手段１６のほかに、時間を計測するための計時手段１８と、打重ね時間を設定するための打重ね時間設定手段２０と、これらの手段を制御するＣＰＵを有する制御手段２２とをさらに備える。計時手段１８、制御手段２２は時間表示手段１２の筐体内部あるいは報知情報表示手段１４の基部２６などに設けられる。
【００３６】
打重ね時間設定手段２０は、数値入力用のテンキーや押しボタン等で構成され、時間表示手段１２または報知情報表示手段１４の筐体に設けることができる。また、このようにする代わりに、ワイヤレスリモコン等にテンキーや押しボタンを設けるとともに、時間表示手段１２または報知情報表示手段１４の筐体側にリモコン受信手段を設け、遠方操作により打重ね時間を設定可能としてもよい。
【００３７】
上記の構成において、操作者から打重ね時間設定手段２０を通じて打重ね時間が設定されると、制御手段２２は作動開始手段１６からの入力を待つ状態となる。操作者から作動開始手段１６の押しボタンが押下されると、制御手段２２は、計時手段１８による計測時間に基づいて、設定された打重ね時間からカウントダウン方式で打重ね時間の残り時間を演算し、演算した残り時間を時間表示手段１２にリアルタイムで表示させる処理を行う。一方、制御手段２２は、演算した残り時間に連動して、予め定めた報知情報を報知情報表示手段１４に表示させる処理を行う。このような処理により、時間表示手段１２、報知情報表示手段１４に残り時間、報知情報を表示させることが可能である。
【００３８】
図３は、本発明のコンクリート打重ね時間管理用報知装置１０を配置したコンクリートの打設現場Ａの一例を示したものである。図３に示すように、このコンクリートの打設現場Ａは、Ｈ形鋼からなる鉄骨１、２と格子状に組まれた鉄筋３とからなる施工敷地を有している。本発明のコンクリート打重ね時間管理用報知装置１０は、鉄骨１上に載置された部材４上の長手方向に間隔をあけた３箇所（場所Ｂ）に配置してあり、それぞれ時間表示手段１２の表示面側が手前側を向くような態様で配置される。
【００３９】
このように、コンクリート打重ね時間管理用報知装置１０は、コンクリートの打設現場Ａに居る者に視認可能な場所Ｂに設けられるので、例えば現場監督者や作業者だけでなく工事発注者等の施工管理者など、少なくともコンクリートの打設現場Ａに居る者は時間表示手段１２および報知情報表示手段１４を目視することで、これらに表示された残りの打重ね時間を確実かつ容易に把握することができ、さらに、打重ね時間の残り時間を共有することができる。
【００４０】
特に、時間表示手段１２を目視すれば打重ね時間の残り時間を把握することができると同時に、近接して設けた報知情報表示手段１４の回転灯の青色、黄色、赤色のいずれかに発色された光が直ぐに目に入るので、打重ね時間の残り時間をより一層直感的に把握することができる。また、本発明によれば、全作業者が目視により残りの打重ね時間を容易に確認できるため、打重ね時間の管理が曖昧になるのを防ぎ、打重ね時間の管理を従来の方法に比べてより確実にすることができる。このため、現場監督者が打設完了時刻の記録を失念したり記録を誤ることによる施工不良の心配もなくなる。
【００４１】
次に、本発明のコンクリート打重ね時間管理用報知装置１０による表示例について図４〜図６を参照しながら説明する。なお、以下の例では、予め定めた打重ね時間が２時間３０分の場合について説明する。また、打重ね時間の残り時間が２時間３０分から１時間までを青色、残り時間が１時間から３０分までを黄色、残り時間が３０分から０分までを赤色で放光されるものとする。
【００４２】
図４に示すように、時間表示手段１２には残り時間を表す「０１：３０」が表示され、報知情報表示手段１４の回転灯１４ａからは最下段の放光部２４ａにより青色の光が放たれている。したがって、打重ね時間の残り時間が１時間３０分であり、残り時間は未だ十分多いことがわかる。
【００４３】
図５に示すように、時間表示手段１２には残り時間を表す「００：４５」が表示され、報知情報表示手段１４の回転灯１４ａからは中段の放光部２４ｂにより黄色の光が放たれている。したがって、打重ね時間の残り時間が４５分であり、残り時間は中程度あるものの十分でないことがわかる。
【００４４】
図６に示すように、時間表示手段１２には残り時間を表す「００：１０」が表示され、報知情報表示手段１４の回転灯１４ａからは最上段の放光部２４ｃにより赤色の光が放たれている。したがって、打重ね時間の残り時間が１０分であり、残り時間はほとんどないことがわかる。
【００４５】
なお、上記の実施の形態において、報知情報表示手段１４を上下方向に３段積層した３色の回転灯にて構成する場合について説明したが、施工条件や現場条件などにあわせて構成を適宜変更してもよい。例えば、回転灯の積層数を３段に限らず、１段、２段、４段以上の複数段積層してなるもので構成し、複数色の回転灯を実現するようにしてもよい。また、上下方向に複数段積層する代わりに、左右方向あるいは前後方向に複数段積層して回転灯を実現してもよい。また、回転灯とせずに単なる照明灯を用いてもよいし、あるいは、単に光を点滅させる点滅灯を用いてもよい。
【００４６】
また、上記の実施の形態において、報知情報表示手段１４を時間表示手段１２の右横に近接して設けた場合について説明したが、これに限るものではなく、時間表示手段１２の左横に近接配置してもよいし、上部あるいは下部に近接配置してもよく、さらに、報知情報表示手段１４を時間表示手段１２から間を離して配置してもよい。いずれにせよ、時間表示手段１２および報知情報表示手段１４は、コンクリート打設現場に居る者から確実かつ容易に目視できるような位置に配置することが望ましい。また、報知情報表示手段１４を時間表示手段１２の筐体に一体化させたり、時間表示手段１２のＬＥＤ表示器内に組み入れた構成を採用してもよい。
【００４７】
また、上記の実施の形態において、作動開始手段１６を時間表示手段１２の筐体の上部に出没自在に設けた押しボタンにより構成した場合について説明したが、これに限るものではなく、例えば作動開始手段１６をシーソー型、レバー型、スライド型のスイッチで構成してもよい。また、作動開始手段１６を時間表示手段１２の筐体の上部に設ける代わりに、筐体の前後左右など他の部位や、報知情報表示手段１４に設けてもよく、さらに、時間表示手段１２および報知情報表示手段１４とは別体に設けてもよい。また、作動開始手段１６をワイヤレスリモコンや携帯端末などで遠隔操作が可能なようにしてもよい。
【００４８】
以上説明したように、本発明に係るコンクリート打重ね時間管理用報知装置によれば、少なくともコンクリートの打設現場に居る者に、前記コンクリートの打重ね時間の管理に関する情報を報知する装置であって、前記コンクリートの打設現場に居る者に視認可能な場所に設けられ、予め定めた前記打重ね時間の残り時間を表示する時間表示手段と、前記打重ね時間の残り時間に対応した報知情報を表示する報知情報表示手段とを備えるので、例えば現場監督者や作業者だけでなく工事発注者等の施工管理者など、少なくともコンクリート打設現場に居る者が時間表示手段および報知情報表示手段を目視することにより、打重ね時間の残り時間を確実かつ容易に把握することができる。また、コンクリート打設現場に居る者は打重ね時間の残り時間を容易に共有することができる。
【００４９】
また、本発明に係る他のコンクリート打重ね時間管理用報知装置によれば、前記時間表示手段は、予め定めた前記打重ね時間からカウントダウン方式で残りの打重ね時間をデジタル表示するものであるので、打重ね時間の残り時間が視覚的により認識し易くなり、コンクリート打設現場に居る者は打重ね時間の残り時間をより確実かつ容易に把握することができる。
【００５０】
また、本発明に係る他のコンクリート打重ね時間管理用報知装置によれば、前記報知情報表示手段は、前記時間表示手段に近接して放光部を有して設けられ、前記放光部から互いに異なる色を放光可能であり、前記報知情報に対応して予め定めた色の光を、前記放光部から前記打重ね時間の残り時間に対応して放光するので、コンクリート打設現場に居る者は前記打重ね時間の残り時間を視覚的かつ直感的により認識し易いものとなる。このため、コンクリート打設現場に居る者は時間表示手段を目視すれば打重ね時間の残り時間を把握することができると同時に、近接して設けた放光部の異なる発色が直ぐに目に入るので、打重ね時間の残り時間をより直感的に把握することができる。
【００５１】
また、本発明に係る他のコンクリート打重ね時間管理用報知装置によれば、光の放射方向を所定の軸線まわりに回動させることができる前記放光部を複数段積層した回転灯からなるので、打重ね時間の残り時間が視覚的かつ直感的により一層認識し易くなる。このため、コンクリート打設現場に居る者は時間表示手段を目視すれば打重ね時間の残り時間を把握することができると同時に、近接して設けた回転灯の光が直ぐに目に入るので、打重ね時間の残り時間をより一層直感的に把握することができる。
【００５２】
また、本発明に係る他のコンクリート打重ね時間管理用報知装置によれば、前記時間表示手段および前記報知情報表示手段を作動させる作動開始手段をさらに備えるので、例えばコンクリートの１層打設完了時に作動開始手段に入力すれば、時間表示手段および報知情報表示手段は作動を開始して少なくともコンクリート打設現場に居る者に報知する。したがって、打重ね時間の管理が曖昧になるのを防ぐことができる。このため、現場監督者が打設完了時刻の記録を失念したり記録を誤ることによる施工不良の心配がなくなる。
【００５３】
また、本発明に係るコンクリートの打ち重ね時間管理方法によれば、上述したコンクリート打重ね時間管理用報知装置を使用したコンクリートの打ち重ね時間管理方法であるので、打重ね時間の管理が曖昧になるのを防ぐことができる。
【産業上の利用可能性】
【００５４】
以上のように、本発明に係るコンクリート打重ね時間管理用報知装置およびコンクリートの打ち重ね時間管理方法は、浄水場や地下鉄の駅等の大規模地下躯体などのコンクリートの打設工事において、コールドジョイントの発生を防止するために、打重ね時間を管理するのに有用であり、特に、少なくともコンクリート打設現場に居る者が打重ね時間の残り時間を確実かつ容易に把握するのに適している。
【符号の説明】
【００５５】
１０  コンクリート打重ね時間管理用報知装置
１２  時間表示手段
１４  報知情報表示手段
１４ａ  回転灯
１６  作動開始手段
１８  計時手段
２０  打重ね時間設定手段
２２  制御手段
２４ａ、２４ｂ、２４ｃ  放光部
２６  基部
２８ａ，２８ｂ，２８ｃ  透明ガラス
【図１】
2014219288.tif 000003
【図２】
2014219288.tif 000004
【図３】
2014219288.tif 000005
【図４】
2014219288.tif 000006
【図５】
2014219288.tif 000007
【図６】
2014219288.tif 000008